【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
第１電力モードおよび該第１電力モードより消費電力が小さい第２電力モードのいずれかで動作する画像形成装置であって、
外部装置から送信される画像データを受信する受信手段と、
原稿を読み取って画像データを取得する読取手段と、
前記受信手段により受信された画像データに基づいて画像形成するプリント機能又は前記読取手段により取得された画像データに基づいて画像形成するコピー機能を実行する画像形成手段と、
前記第１電力モードから前記第２電力モードに移行するための移行時間を設定する設定手段と、
（Ａ）前記設定手段により設定された前記移行時間が所定時間より長く、かつ、前記コピー機能による画像形成が実行される場合は、該画像形成が実行された後に前記移行時間が経過したことに応じて前記画像形成装置を前記第２電力モードへ移行させ、（Ｂ）前記設定手段により設定された前記移行時間が所定時間より長く、かつ、前記プリント機能による画像形成が実行される場合は、該画像形成が実行された後に前記移行時間が経過したことに応じて前記画像形成装置を前記第２電力モードへ移行させ、（Ｃ）前記設定手段により設定された前記移行時間が前記所定時間以下であり、かつ、前記コピー機能による画像形成が実行される場合は、該画像形成が実行された後に前記移行時間が経過したことに応じて前記画像形成装置を前記第２電力モードへ移行させ、（Ｄ）前記設定手段により設定された前記移行時間が前記所定時間以下であり、かつ、前記プリント機能による画像形成が実行される場合は、該画像形成が実行された後に前記移行時間が経過する前に前記画像形成装置を前記第２電力モードへ移行させる、制御手段と、
を備えることを特徴とする画像形成装置。
【請求項２】
前記制御手段の制御モードを選択するための選択手段をさらに備え、
前記選択手段が第１の制御モードを選択した場合、
前記制御手段は、
（Ａ）前記設定手段により設定された前記移行時間が所定時間より長く、かつ、前記コピー機能による画像形成が実行される場合は、該画像形成が実行された後に前記移行時間が経過したことに応じて前記画像形成装置を前記第２電力モードへ移行させ、（Ｂ）前記設定手段により設定された前記移行時間が所定時間より長く、かつ、前記プリント機能による画像形成が実行される場合は、該画像形成が実行された後に前記移行時間が経過したことに応じて前記画像形成装置を前記第２電力モードへ移行させ、（Ｃ）前記設定手段により設定された前記移行時間が前記所定時間以下であり、かつ、前記コピー機能による画像形成が実行される場合は、該画像形成が実行された後に前記移行時間が経過したことに応じて前記画像形成装置を前記第２電力モードへ移行させ、（Ｄ）前記設定手段により設定された前記移行時間が前記所定時間以下であり、かつ、前記プリント機能による画像形成が実行される場合は、該画像形成が実行された後に前記移行時間が経過する前に前記画像形成装置を前記第２電力モードへ移行させ、
前記選択手段が第２の制御モードを選択した場合、
前記制御手段は、
（Ｅ）前記コピー機能による画像形成が実行された後に前記移行時間が経過したことに応じて前記画像形成装置を前記第２電力モードへ移行させ、（Ｆ）前記プリント機能による画像形成が実行された後に前記移行時間が経過する前に前記画像形成装置を前記第２電力モードへ移行させる、ことを特徴とする請求項１に記載の画像形成装置。
【請求項３】
前記選択手段が第３の制御モードを選択した場合、
前記制御手段は、
（Ｇ）前記プリント機能による画像形成が実行された後に前記移行時間が経過したことに応じて前記画像形成装置を前記第２電力モードへ移行させ、（Ｈ）前記コピー機能による画像形成が実行された後に前記移行時間が経過したことに応じて前記画像形成装置を前記第２電力モードへ移行させる、ことを特徴とする請求項２に記載の画像形成装置。
【請求項４】
前記制御手段は、
（Ｄ）前記設定手段により設定された前記移行時間が前記所定時間以下であり、かつ、前記プリント機能による画像形成が実行される場合は、該画像形成が実行された後すぐに前記画像形成装置を前記第２電力モードへ移行させる、ことを特徴とする請求項１に記載の画像形成装置。
【請求項５】
第１電力モードおよび該第１電力モードより消費電力が小さい第２電力モードのいずれかで動作する画像形成装置の制御方法であって、
外部装置から送信される画像データを受信する受信ステップと、
原稿を読み取って画像データを取得する読取ステップと、
前記受信ステップにおいて受信された画像データに基づいて画像形成するプリント機能を実行する第１の画像形成ステップと、
前記読取ステップにおいて取得された画像データに基づいて画像形成するコピー機能を実行する第２の画像形成ステップと、
前記第１電力モードから前記第２電力モードに移行するための移行時間を設定する設定ステップと、
（Ａ）前記設定された前記移行時間が所定時間より長く、かつ、前記第２の画像形成ステップによる画像形成が実行される場合は、該画像形成が実行された後に前記移行時間が経過したことに応じて前記画像形成装置を前記第２電力モードへ移行させ、（Ｂ）前記設定された前記移行時間が所定時間より長く、かつ、前記第１の画像形成ステップによる画像形成が実行される場合は、該画像形成が実行された後に前記移行時間が経過したことに応じて前記画像形成装置を前記第２電力モードへ移行させ、（Ｃ）前記設定された前記移行時間が前記所定時間以下であり、かつ、前記第２の画像形成ステップによる画像形成が実行される場合は、該画像形成が実行された後に前記移行時間が経過したことに応じて前記画像形成装置を前記第２電力モードへ移行させ、（Ｄ）前記設定された前記移行時間が前記所定時間以下であり、かつ、前記第１の画像形成ステップによる画像形成が実行される場合は、該画像形成が実行された後に前記移行時間が経過する前に前記画像形成装置を前記第２電力モードへ移行させる制御ステップと、を実行することを特徴とする画像形成装置の制御方法。
【請求項６】
前記制御ステップにおける制御モードを選択するための選択ステップをさらに備え、
前記選択ステップで第１の制御モードが選択された場合、
前記制御ステップでは、
（Ａ）前記設定された前記移行時間が所定時間より長く、かつ、前記第２の画像形成ステップによる画像形成が実行される場合は、該画像形成が実行された後に前記移行時間が経過したことに応じて前記画像形成装置を前記第２電力モードへ移行させ、（Ｂ）前記設定された前記移行時間が所定時間より長く、かつ、前記第１の画像形成ステップによる画像形成が実行される場合は、該画像形成が実行された後に前記移行時間が経過したことに応じて前記画像形成装置を前記第２電力モードへ移行させ、（Ｃ）前記設定された前記移行時間が前記所定時間以下であり、かつ、前記第２の画像形成ステップによる画像形成が実行される場合は、該画像形成が実行された後に前記移行時間が経過したことに応じて前記画像形成装置を前記第２電力モードへ移行させ、（Ｄ）前記設定された前記移行時間が前記所定時間以下であり、かつ、前記第１の画像形成ステップによる画像形成が実行される場合は、該画像形成が実行された後に前記移行時間が経過する前に前記画像形成装置を前記第２電力モードへ移行させ
前記選択ステップで第２の制御モードが選択された場合、
前記制御ステップでは、
（Ｅ）前記第２の画像形成ステップによる画像形成が実行された後に前記移行時間が経過したことに応じて前記画像形成装置を前記第２電力モードへ移行させ、（Ｆ）前記第１の画像形成ステップによる画像形成が実行された後に前記移行時間が経過する前に前記画像形成装置を前記第２電力モードへ移行させる、ことを特徴とする請求項５に記載の画像形成装置の制御方法。
【請求項７】
前記選択ステップで第３の制御モードを選択された場合、
前記制御ステップでは、
（Ｇ）前記第１の画像形成ステップによる画像形成が実行された後に前記移行時間が経過したことに応じて前記画像形成装置を前記第２電力モードへ移行させ、（Ｈ）前記第２の画像形成ステップによる画像形成が実行された後に前記移行時間が経過したことに応じて前記画像形成装置を前記第２電力モードへ移行させる、ことを特徴とする請求項６に記載の画像形成装置の制御方法。
【請求項８】
前記制御ステップでは、
（Ｄ）前記設定された前記移行時間が前記所定時間以下であり、かつ、前記第１の画像形成ステップによる画像形成が実行される場合は、該画像形成が実行された後にすぐに前記画像形成装置を前記第２電力モードへ移行させる、ことを特徴とする請求項５乃至７のいずれか１項に記載の画像形成装置の制御方法。
【請求項９】
請求項５乃至８の何れか１項に記載の画像形成装置の制御方法をコンピュータに実行させるためのプログラム。
【請求項１０】
第１電力モードおよび該第１電力モードより消費電力が小さい第２電力モードを有する画像形成装置であって、
前記画像形成装置が有する第１機能を実行する第１負荷および第２機能を実行する第２負荷と、
前記第１電力モードから前記第２電力モードに移行するための移行時間を設定する設定手段と、
（Ａ）前記設定手段により設定された前記移行時間が所定時間より長く、かつ、前記第１機能が実行される場合は、該第１機能が実行された後に前記移行時間が経過したことに応じて前記画像形成装置を前記第２電力モードへ移行させ、（Ｂ）前記設定手段により設定された前記移行時間が所定時間より長く、かつ、前記第２機能が実行される場合は、該第２機能が実行された後に前記移行時間が経過したことに応じて前記画像形成装置を前記第２電力モードへ移行させ、（Ｃ）前記設定手段により設定された前記移行時間が前記所定時間以下であり、かつ、前記第１機能が実行される場合は、該第１機能が実行された後に前記移行時間が経過したことに応じて前記画像形成装置を前記第２電力モードへ移行させ、（Ｄ）前記設定手段により設定された前記移行時間が前記所定時間以下であり、かつ、前記第２機能が実行される場合は、該第２機能が実行された後に前記移行時間が経過する前に前記画像形成装置を前記第２電力モードへ移行させる、制御手段と、
を備えることを特徴とする画像形成装置。
【請求項１１】
前記制御手段の制御モードを選択するための選択手段をさらに備え、
前記選択手段が第１の制御モードを選択した場合、
前記制御手段は、
（Ａ）前記設定手段により設定された前記移行時間が所定時間より長く、かつ、前記第１機能が実行される場合は、該第１機能が実行された後に前記移行時間が経過したことに応じて前記画像形成装置を前記第２電力モードへ移行させ、（Ｂ）前記設定手段により設定された前記移行時間が所定時間より長く、かつ、前記第２機能が実行される場合は、該第２機能が実行された後に前記移行時間が経過したことに応じて前記画像形成装置を前記第２電力モードへ移行させ、（Ｃ）前記設定手段により設定された前記移行時間が前記所定時間以下であり、かつ、前記第１機能が実行される場合は、該第１機能が実行された後に前記移行時間が経過したことに応じて前記画像形成装置を前記第２電力モードへ移行させ、（Ｄ）前記設定手段により設定された前記移行時間が前記所定時間以下であり、かつ、前記第２機能が実行される場合は、該第２機能が実行された後に前記移行時間が経過する前に前記画像形成装置を前記第２電力モードへ移行させ、
前記選択手段が第２の制御モードを選択した場合、
前記制御手段は、
（Ｅ）前記第１機能が実行された後に前記移行時間が経過したことに応じて前記画像形成装置を前記第２電力モードへ移行させ、（Ｆ）前記第２機能が実行された後に前記移行時間が経過する前に前記画像形成装置を前記第２電力モードへ移行させる、ことを特徴とする請求項１０に記載の画像形成装置。
【請求項１２】
前記選択手段が第３の制御モードを選択した場合、
前記制御手段は、
（Ｇ）前記第１機能が実行された後に前記移行時間が経過したことに応じて前記画像形成装置を前記第２電力モードへ移行させ、（Ｈ）前記第２機能が実行された後に前記移行時間が経過したことに応じて前記画像形成装置を前記第２電力モードへ移行させる、ことを特徴とする請求項１１に記載の画像形成装置。
【請求項１３】
前記制御手段は、
（Ｄ）前記設定手段により設定された前記移行時間が前記所定時間以下であり、かつ、前記第１機能が実行される場合は、該第１機能が実行された後すぐに前記画像形成装置を前記第２電力モードに移行させる、ことを特徴とする請求項１０に記載の画像形成装置。
【請求項１４】
ユーザからの操作を受け付ける操作部をさらに備え、
前記第１機能は、前記操作部を用いてユーザが開始指示をしたことに応じて実行される機能である、ことを特徴とする請求項１０乃至１３のいずれか１項に記載の画像形成装置。
【請求項１５】
前記第１機能は、コピー機能である、ことを特徴とする請求項１４に記載の画像形成装置。
【請求項１６】
外部装置からネットワークを介して送信される画像データを受信する受信手段をさらに備え、
前記第２機能は、前記受信手段により画像データを受信したことに応じて実行される機能である、ことを特徴とする請求項１０乃至１５のいずれか１項に記載の画像形成装置。
【請求項１７】
前記第２機能は、プリント機能である、ことを特徴とする請求項１６に記載の画像形成装置。
【請求項１８】
第１機能を実行する第１負荷および第２機能を実行する第２負荷を有し、第１電力モードおよび該第１電力モードより消費電力が小さい第２電力モードを有する画像形成装置の制御方法であって、
前記第１電力モードから前記第２電力モードに移行するための移行時間を設定する設定工程と、
（Ａ）前記設定工程で設定された前記移行時間が所定時間より長く、かつ、前記第１機能が実行される場合は、該第１機能が実行された後に前記移行時間が経過したことに応じて前記画像形成装置を前記第２電力モードへ移行させ、（Ｂ）前記設定工程で設定された前記移行時間が所定時間より長く、かつ、前記第２機能が実行される場合は、該第２機能が実行された後に前記移行時間が経過したことに応じて前記画像形成装置を前記第２電力モードへ移行させ、（Ｃ）前記設定工程で設定された前記移行時間が前記所定時間以下であり、かつ、前記第１機能が実行される場合は、該第１機能が実行された後に前記移行時間が経過したことに応じて前記画像形成装置を前記第２電力モードへ移行させ、（Ｄ）前記設定工程で設定された前記移行時間が前記所定時間以下であり、かつ、前記第２機能が実行される場合は、該第２機能が実行された後に前記移行時間が経過する前に前記画像形成装置を前記第２電力モードへ移行させる、制御工程と、
を有することを特徴とする画像形成装置の制御方法。
【請求項１９】
第１機能を実行する第１負荷および第２機能を実行する第２負荷を有し、第１電力モードおよび該第１電力モードより消費電力が小さい第２電力モードを有する画像形成装置により読み取り可能なプログラムであって、
前記第１電力モードから前記第２電力モードに移行するための移行時間を設定する設定工程と、
（Ａ）前記設定工程で設定された前記移行時間が所定時間より長く、かつ、前記第１機能が実行される場合は、該第１機能が実行された後に前記移行時間が経過したことに応じて前記画像形成装置を前記第２電力モードへ移行させ、（Ｂ）前記設定工程で設定された前記移行時間が所定時間より長く、かつ、前記第２機能が実行される場合は、該第２機能が実行された後に前記移行時間が経過したことに応じて前記画像形成装置を前記第２電力モードへ移行させ、（Ｃ）前記設定工程で設定された前記移行時間が前記所定時間以下であり、かつ、前記第１機能が実行される場合は、該第１機能が実行された後に前記移行時間が経過したことに応じて前記画像形成装置を前記第２電力モードへ移行させ、（Ｄ）前記設定工程で設定された前記移行時間が前記所定時間以下であり、かつ、前記第２機能が実行される場合は、該第２機能が実行された後に前記移行時間が経過する前に前記画像形成装置を前記第２電力モードへ移行させる、制御工程と、
を実行させるためのプログラム。
【手続補正２】
【補正対象書類名】明細書
【補正対象項目名】０００６
【補正方法】変更
【補正の内容】
【０００６】
本発明は、第１電力モードおよび該第１電力モードより消費電力が小さい第２電力モードのいずれかで動作する画像形成装置であって、外部装置から送信される画像データを受信する受信手段と、原稿を読み取って画像データを取得する読取手段と、前記受信手段により受信された画像データに基づいて画像形成するプリント機能又は前記読取手段により取得された画像データに基づいて画像形成するコピー機能を実行する画像形成手段と、前記第１電力モードから前記第２電力モードに移行するための移行時間を設定する設定手段と、（Ａ）前記設定手段により設定された前記移行時間が所定時間より長く、かつ、前記コピー機能による画像形成が実行される場合は、該画像形成が実行された後に前記移行時間が経過したことに応じて前記画像形成装置を前記第２電力モードへ移行させ、（Ｂ）前記設定手段により設定された前記移行時間が所定時間より長く、かつ、前記プリント機能による画像形成が実行される場合は、該画像形成が実行された後に前記移行時間が経過したことに応じて前記画像形成装置を前記第２電力モードへ移行させ、（Ｃ）前記設定手段により設定された前記移行時間が前記所定時間以下であり、かつ、前記コピー機能による画像形成が実行される場合は、該画像形成が実行された後に前記移行時間が経過したことに応じて前記画像形成装置を前記第２電力モードへ移行させ、（Ｄ）前記設定手段により設定された前記移行時間が前記所定時間以下であり、かつ、前記プリント機能による画像形成が実行される場合は、該画像形成が実行された後に前記移行時間が経過する前に前記画像形成装置を前記第２電力モードへ移行させる、制御手段と、を備えることを特徴とする。また、本発明は、第１電力モードおよび該第１電力モードより消費電力が小さい第２電力モードを有する画像形成装置であって、前記画像形成装置が有する第１機能を実行する第１負荷および第２機能を実行する第２負荷と、前記第１電力モードから前記第２電力モードに移行するための移行時間を設定する設定手段と、（Ａ）前記設定手段により設定された前記移行時間が所定時間より長く、かつ、前記第１機能が実行される場合は、該第１機能が実行された後に前記移行時間が経過したことに応じて前記画像形成装置を前記第２電力モードへ移行させ、（Ｂ）前記設定手段により設定された前記移行時間が所定時間より長く、かつ、前記第２機能が実行される場合は、該第２機能が実行された後に前記移行時間が経過したことに応じて前記画像形成装置を前記第２電力モードへ移行させ、（Ｃ）前記設定手段により設定された前記移行時間が前記所定時間以下であり、かつ、前記第１機能が実行される場合は、該第１機能が実行された後に前記移行時間が経過したことに応じて前記画像形成装置を前記第２電力モードへ移行させ、（Ｄ）前記設定手段により設定された前記移行時間が前記所定時間以下であり、かつ、前記第２機能が実行される場合は、該第２機能が実行された後に前記移行時間が経過する前に前記画像形成装置を前記第２電力モードへ移行させる、制御手段と、を備えることを特徴とする。